(57)【特許請求の範囲】
【請求項１】
パイプ部材が折り曲げられて一連に、少なくとも、支持基部に固定される第一の固定部と、座を受け支える座受け部と、これら第一の固定部と座受け部とを繋ぐ前方傾斜部とが、連接して形成される座受けフレーム、及び、パイプ部材が折り曲げられて一連に、少なくとも、前記支持基部に固定される第二の固定部と、背凭れを支持する背凭れ支持部と、これら第二の固定部と背凭れ支持部とを繋ぐ後方傾斜部とが、連接して形成される背凭れ支持フレームを有し、前記座受けフレームの前記第一の固定部，前記前方傾斜部，及び前記座受け部が平面視においてＭ字形をなすことを特徴とする座及び背凭れの支持フレーム。
【請求項２】
パイプ部材が折り曲げられて一連に、少なくとも、支持基部に固定される第一の固定部と、座を受け支える座受け部と、これら第一の固定部と座受け部とを繋ぐ前方傾斜部とが、連接して形成される座受けフレーム、及び、パイプ部材が折り曲げられて一連に、少なくとも、前記支持基部に固定される第二の固定部と、背凭れを支持する背凭れ支持部と、これら第二の固定部と背凭れ支持部とを繋ぐ後方傾斜部とが、連接して形成される背凭れ支持フレームを有し、前記座受けフレームが前記前方傾斜部と前記座受け部とが連接する湾曲部分を有すると共に、左右の前記湾曲部分同士を連結する前部横連結部材を更に有し、当該前部横連結部材の左右両端部のそれぞれが前記湾曲部分に対して曲線状に溶接されることを特徴とする座及び背凭れの支持フレーム。
【請求項３】
パイプ部材が折り曲げられて一連に、少なくとも、支持基部に固定される第一の固定部と、座を受け支える座受け部と、これら第一の固定部と座受け部とを繋ぐ前方傾斜部とが、連接して形成される座受けフレーム、及び、パイプ部材が折り曲げられて一連に、少なくとも、前記支持基部に固定される第二の固定部と、背凭れを支持する背凭れ支持部と、これら第二の固定部と背凭れ支持部とを繋ぐ後方傾斜部とが、連接して形成される背凭れ支持フレームを有し、前記座受けフレームの左右の前記座受け部同士を連結する後部横連結部材を更に有し、当該後部横連結部材の左右両端部分のそれぞれが前記座受け部に沿う方向に形成されて当該座受け部に対して直線状に溶接されることを特徴とする座及び背凭れの支持フレーム。
【請求項４】
パイプ部材が折り曲げられて一連に、少なくとも、支持基部に固定される第一の固定部と、座を受け支える座受け部と、これら第一の固定部と座受け部とを繋ぐ前方傾斜部とが、連接して形成される座受けフレーム、及び、パイプ部材が折り曲げられて一連に、少なくとも、前記支持基部に固定される第二の固定部と、背凭れを支持する背凭れ支持部と、これら第二の固定部と背凭れ支持部とを繋ぐ後方傾斜部とが、連接して形成される背凭れ支持フレームを有し、前記座受けフレームの前記座受け部の後端部と連接して固定端部が更に形成され、左右の前記固定端部のそれぞれが前記背凭れ支持フレームの前記背凭れ支持部に沿う方向に形成されて当該背凭れ支持部に対して直線状に溶接されることを特徴とする座及び背凭れの支持フレーム。
【請求項５】
パイプ部材が折り曲げられて一連に、少なくとも、支持基部に固定される第一の固定部と、座を受け支える座受け部と、これら第一の固定部と座受け部とを繋ぐ前方傾斜部とが、連接して形成される座受けフレーム、及び、パイプ部材が折り曲げられて一連に、少なくとも、前記支持基部に固定される第二の固定部と、背凭れを支持する背凭れ支持部と、これら第二の固定部と背凭れ支持部とを繋ぐ後方傾斜部とが、連接して形成される背凭れ支持フレームを有し、前記座受けフレームと前記背凭れ支持フレームとのどちらもが前記座に嵌合することを特徴とする座及び背凭れの支持フレーム。
【請求項６】
請求項１から５のうちのいずれか一つに記載の座及び背凭れの支持フレームを備えることを特徴とする椅子。
【発明の詳細な説明】
【技術分野】
【０００１】
本発明は座及び背凭れの支持フレーム並びに椅子に関する。さらに詳述すると、本発明は、径の細いパイプが用いられて構成される座及び背凭れの支持フレームの構造並びにそのような座及び背凭れの支持フレームを備える椅子に関する。
【背景技術】
【０００２】
径の細いパイプが用いられて構成される従来の椅子の座及び背凭れの支持フレームの構造として、図２４Ａ及び図２４Ｂに示すように、脚体１０５によって支持された支基１０６の左右両側部に、前後方向を向く左右一対の基部杆１００を設け、左右の基部杆１００の前端に、上方に延出する左右一対の座支持杆１０１を連設し、且つ、基部杆１００の後端に、上方に延出する背凭れ支持杆１０２を連設し、座支持杆１０１の上端に、座１０７の前部及び両側部を支持する、平面視においてコ字状の座受けフレーム１０４における前部１０４ａを固着し、背凭れ支持杆１０２に、座受けフレーム１０４の後端を固着し、且つ、座受けフレーム１０４に座１０７を取り付け、背凭れ支持杆１０２に背凭れ１０８を取付けるようにしたものがある（特許文献１）。
【先行技術文献】
【特許文献】
【０００３】
【特許文献１】特開２０１２−９５９３２号公報
【発明の概要】
【発明が解決しようとする課題】
【０００４】
しかしながら、特許文献１における椅子の座及び背凭れの支持フレームの構造では、座の前側について、コ字状の座受けフレーム１０４と左右の基部杆１００とを溶接で繋いでおり、溶接箇所に大きな応力が集中することによって破損する可能性があるという問題がある。さらに、座の後側について、コ字状の座受けフレーム１０４と連結杆１０３（役割としては後座フレーム）とは横方向の溶接で繋いでいるため、着座によって背凭れに荷重がかけられるとコ字状の座受けフレーム１０４と連結杆１０３とを引き離す向きに力が働くことになるので、溶接箇所の破損の可能性があるという問題がある。結果として、溶接箇所において破損する可能性があるという問題がある。特に、径が細いパイプで形成された椅子においては、その可能性が高まるという問題がある。
【０００５】
そこで、本発明は、椅子の座及び背凭れの支持に纏わるフレームが径の細いパイプによって構成されながらも、溶接箇所における破損を防止することができる座及び背凭れの支持フレーム並びにこの座及び背凭れの支持フレームを備える椅子を提供することを目的とする。
【課題を解決するための手段】
【０００６】
かかる目的を達成するため、本発明の座及び背凭れの支持フレームは、パイプ部材が折り曲げられて一連に、少なくとも、支持基部に固定される第一の固定部と、座を受け支える座受け部と、これら第一の固定部と座受け部とを繋ぐ前方傾斜部とが、連接して形成される座受けフレーム、及び、パイプ部材が折り曲げられて一連に、少なくとも、支持基部に固定される第二の固定部と、背凭れを支持する背凭れ支持部と、これら第二の固定部と背凭れ支持部とを繋ぐ後方傾斜部とが、連接して形成される背凭れ支持フレームを有し、座受けフレームの前記第一の固定部，前記前方傾斜部，及び前記座受け部が平面視においてＭ字形をなすようにしている。
【０００７】
したがって、この座及び背凭れの支持フレームによると、座を支持するフレームと背凭れを支持するフレームとが、パイプ部材が折り曲げられて一連に連接して形成される、言い換えると、溶接部を有することなく形成されるようにしているので、溶接箇所に大きな応力が集中することによる破損や、着座によって荷重がかけられた際にパイプ同士の溶接を引き離す向きに力が働くことによる破損、さらに、溶接箇所及びその周辺の硬化による耐久性の低下が防止される。
【０００８】
この座及び背凭れの支持フレームによると、また、座を支持するフレームと背凭れを支持するフレームとがパイプ部材が折り曲げられて一連に連接して形成されるようにしているので、椅子の座及び背凭れを支持するフレームを構成するための種々の部品を接合するための部品が不要になるために部品点数が少なくて済み、延いては、組み立て作業を簡便にして効率的に椅子の座及び背凭れを支持するフレームが製作され、また、座及び背凭れを支持するフレームのコストが低廉になる。
【０００９】
また、本発明の座及び背凭れの支持フレームは、座受けフレームの第一の固定部，前方傾斜部，及び座受け部が平面視においてＭ字形をなすことから、比較的単純で簡便な曲げ加工によって座を支持するフレームが、延いては座及び背凭れを支持するフレームが形成される。
【００１０】
また、本発明の座及び背凭れの支持フレームは、座受けフレームが前方傾斜部と座受け部とが連接する湾曲部分を有すると共に、左右の湾曲部分同士を連結する前部横連結部材を更に有し、当該前部横連結部材の左右両端部のそれぞれが湾曲部分に対して曲線状に溶接されるようにしても良い。この場合には、座受けフレームの前方傾斜部と座受け部とが連接する湾曲部分に対して前部横連結部材の左右両端部が溶接されるので、前部横連結部材と座受けフレームとは溶接部が湾曲形状をなすものとして溶接される。
【００１１】
また、本発明の座及び背凭れの支持フレームは、座受けフレームの左右の座受け部同士を連結する後部横連結部材を更に有し、当該後部横連結部材の左右両端部分のそれぞれが座受け部に沿う方向に形成されて当該座受け部に対して直線状に溶接されるようにしても良い。この場合には、後部横連結部材の左右両端部分と座受け部とが相互に平行になるように配設された上で溶接されるので、後部横連結部材と座受けフレームとは溶接部が直線形状をなすものとして溶接される。
【００１２】
また、本発明の座及び背凭れの支持フレームは、座受けフレームの座受け部の後端部と連接して固定端部が更に形成され、左右の固定端部のそれぞれが背凭れ支持フレームの背凭れ支持部に沿う方向に形成されて当該背凭れ支持部に対して直線状に溶接されるようにしても良い。この場合には、座受けフレームの左右の固定端部と背凭れ支持部とが相互に平行になるように配設された上で溶接されるので、座受けフレームと背凭れ支持フレームとは溶接部が直線形状をなすものとして溶接される。
【００１３】
また、本発明の座及び背凭れの支持フレームは、座受けフレームと背凭れ支持フレームとのどちらもが座に嵌合するようにしても良い。この場合には、座を支持するフレームと背凭れを支持するフレームとが支持基部に固定されることに加えて座に嵌合することによってこれら座を支持するフレームと背凭れを支持するフレームとの相互の位置関係が固定される。
【００１４】
また、本発明の椅子は、上述の座及び背凭れの支持フレームを備えるようにしている。この場合には、上述の座及び背凭れの支持フレームの作用が奏される椅子が実現される。
【発明の効果】
【００１５】
本発明の座及び背凭れの支持フレーム並びにこの支持フレームを備える椅子によれば、溶接箇所に大きな応力が集中することによる破損や、着座によって荷重がかけられた際にパイプ同士の溶接を引き離す向きに力が働くことによる破損、さらに、溶接箇所及びその周辺の硬化による耐久性の低下を防止することができるので、椅子の安全性を確保すると共に耐久性を向上させることが可能になり、延いては椅子の信頼性を向上させることが可能になる。
【００１６】
また、組み立て作業を簡便にして効率的に椅子の座及び背凭れを支持するフレームを製作し、また、座及び背凭れを支持するフレームのコストを低廉にすることができるので、汎用性の高い座及び背凭れの支持フレームを提供することが可能になる。
【００１７】
さらに、座受けフレームが平面視においてＭ字形をなすので、比較的単純で簡便な曲げ加工によって座を支持するフレームを、延いては座及び背凭れを支持するフレームを形成することができ、座及び背凭れの支持フレームとしての汎用性を一層向上させることが可能になる。
【００１８】
本発明の座及び背凭れの支持フレーム並びにこの支持フレームを備える椅子は、前部横連結部材の左右両端部のそれぞれが座受けフレームの湾曲部分に対して曲線状に溶接されるようにした場合には、前部横連結部材と座受けフレームとを溶接部が湾曲形状をなすものとして溶接することによって様々な向きの変形や荷重に対して応力(抵抗力)を発揮することができ、溶接箇所が破損し易くなってしまうという問題を回避することが可能になる。
【００１９】
本発明の座及び背凭れの支持フレーム並びにこの支持フレームを備える椅子は、後部横連結部材の左右両端部分のそれぞれが座受けフレームの座受け部に対して直線状に溶接されるようにした場合には、後部横連結部材と座受けフレームとを溶接部が直線形状をなすものとして溶接することによって溶接部を長く設けるようにすることができ、必要とされる強度を十分に確保して溶接箇所が破損し易くなってしまうという問題を回避することが可能になる。
【００２０】
本発明の座及び背凭れの支持フレーム並びにこの支持フレームを備える椅子は、座受けフレームの左右の固定端部のそれぞれが背凭れ支持フレームの背凭れ支持部に対して直線状に溶接されるようにした場合には、座受けフレームと背凭れ支持フレームとを溶接部が直線形状をなすものとして溶接することによって溶接部を長く設けるようにすることができ、必要とされる強度を十分に確保して溶接箇所が破損し易くなってしまうという問題を回避することが可能になる。
【００２１】
本発明の座及び背凭れの支持フレーム並びにこの支持フレームを備える椅子は、座受けフレームと背凭れ支持フレームとが座に嵌合するようにした場合には、座を支持するフレームと背凭れを支持するフレームとの相互の位置関係を支持基部と座とによって固定することができるので、座及び背凭れの支持フレーム全体として構成するために必要とされる固定力・拘束力の一部若しくは全部を元より必要とされる支持基部及び座に負担させることが可能になり、これにより、前記固定力・拘束力を確保するための造作を簡易にしたり部品を省いたりすることが可能になる。
【図面の簡単な説明】
【００２２】
【図１】実施形態の椅子の全体構成を示す斜め前方の上方から見た斜視図である。
【図２】実施形態の椅子の全体構成を示す右側面図である。
【図３】実施形態の椅子の全体構成を示す背面図である。
【図４】本発明の座及び背凭れの支持フレームの構造に関連する部分の構造を示す斜め前方の上方から見た斜視図である。
【図５】図４のうちの座及び背凭れを透過表示にした状態の図である。
【図６】図４のうちの座及び背凭れを取り除いた状態の図である。
【図７】本発明の座及び背凭れの支持フレームの構造の実施形態の一例を示す斜め前方の上方から見た斜視図であり、図６のうちの支持基部の上カバー部を取り除いた状態の図である。
【図８】図７のうちの昇降操作用レバー，フレーム固定部材，及び脚柱を取り除いた状態の図である。
【図９】図８のうちの前部横連結部材及び脚柱固定部材を取り除いた状態の図である。
【図１０】図７の状態の平面図である。
【図１１】図８の状態の平面図である。
【図１２】図９の状態の平面図である。
【図１３】図７の状態の右側面図であり、支持基部のケース部を透過表示にした状態の図である。
【図１４】図８の状態の右側面図であり、支持基部のケース部を透過表示にした状態の図である。
【図１５】図９の状態の右側面図であり、支持基部のケース部を透過表示にした状態の図である。
【図１６】実施形態の座枠体を右側方斜め上方から見た斜視図である。
【図１７】実施形態の座枠体の平面図である。
【図１８】実施形態の座枠体の底面図である。
【図１９】実施形態の背枠体を右側方斜め上方から見た斜視図である。
【図２０】実施形態の背枠体の底面図である。
【図２１】背凭れの他の実施形態を示す斜め前方の上方から見た分解斜視図である。（Ａ）はパッドである。（Ｂ）はパッドの左半分(右半分は不図示)と前部インナーシェル及び後部インナーシェルである。（Ｃ）は背板部材である。
【図２２】背凭れの他の実施形態を示す図である。（Ａ）は前部インナーシェルを斜め後方の上方から見た斜視図である。（Ｂ）はパッドを図示せずに前部インナーシェルの背板部材への取り付け状態を斜め前方の上方から見た斜視図である。
【図２３】背凭れの他の実施形態を示す図である。（Ａ）は後部インナーシェルを斜め前方の上方から見た斜視図である。（Ｂ）はパッドを図示せずに後部インナーシェルの背板部材への取り付け状態を斜め後方の上方から見た斜視図である。
【図２４Ａ】従来の椅子の座及び背凭れの支持フレームの構造を斜め前方の上方から見た斜視図である。
【図２４Ｂ】図２４Ａの支持フレームの構造を斜め前方の下方から見た斜視図である。
【発明を実施するための形態】
【００２３】
以下、本発明の構成を図面に示す実施の形態の一例に基づいて詳細に説明する。
【００２４】
図１乃至図２０に、本発明の座及び背凭れの支持フレーム並びにこの支持フレームを備える椅子の実施形態の一例を示す。
【００２５】
本実施形態では、図１乃至図３に全体構成を示す椅子に本発明が適用された場合を例に挙げて説明する。
【００２６】
また、本発明の説明においては、椅子の座に座った着座者を基準にして「上」及び「下」，「前」及び「後」，並びに「左」及び「右」を定義する（言い換えると、着座者から見て「上」及び「下」，「前」及び「後」，並びに「左」及び「右」を意味する）。
【００２７】
本実施形態の椅子は、脚羽根タイプの脚ベース２１に立設する脚柱２２の上端部に取り付けられる支持基部１と、当該支持基部１に支持される座受けフレーム２及び背凭れ支持フレーム３と、座受けフレーム２に受け支えられる座１０と、背凭れ支持フレーム３に取り付けられて支持される背凭れ１５とを有する。
【００２８】
脚羽根タイプの脚ベース２１は、一体に成形された、脚基部２１ａと複数本の脚羽根２１ｂとを有する。
【００２９】
複数本の脚羽根２１ｂは、それぞれ、基端部が脚基部２１ａに連接し、且つ、長手方向が脚基部２１ａを中心とする放射方向に沿うように配設される。
【００３０】
本実施形態では、五本の脚羽根２１ｂが放射状に配設され、各々の先端部の下面にキャスタ２３が備えられる。すなわち、本実施形態の椅子は、所謂回転脚と呼ばれる態様の脚体を備える。ただし、脚羽根２１ｂにキャスタ２３が備えられることは本発明において必須の構成ではなく、さらに言えば、脚体として脚羽根タイプの脚ベース２１を有することは本発明において必須の構成ではない。
【００３１】
なお、脚ベース２１の材質は、脚ベースとして必要な強度が確保され得るものであれば、特定のものに限定されるものではなく、例えば金属や樹脂などが用いられ得る。
【００３２】
脚ベース２１の中心部の脚基部２１ａには、支持基部１を介して座１０及び背凭れ１５を支持する脚柱２２が嵌め込まれて取り付けられる。
【００３３】
具体的には、脚基部２１ａに、横断面（言い換えると、平面視）が円形で上下方向の貫通孔が設けられ、当該貫通孔に脚柱２２が嵌合されて固定される。
【００３４】
本実施形態では、シリンダ２２ａと当該シリンダ２２ａに対して昇降可能であるロッド２２ｂとを有するガススプリングによって脚柱２２が構成される。
【００３５】
そして、脚基部２１ａに設けられた貫通孔にシリンダ２２ａが嵌合して固定されることによって脚ベース２１に対して脚柱２２（即ち、ガススプリング）が固定される。
【００３６】
具体的には、脚基部２１ａの貫通孔の内周面（言い換えると、貫通孔を構成する内壁）が、上側から下側にいくに連れて横断面における内径が次第に小さくなるテーパ状、すなわち、下方側にいくに連れて貫通孔の平面視における中心位置（即ち、軸心位置）に向けて次第に迫り出す斜面として、言い換えると、下向きの荷重を受け支え得るように傾斜する面として形成される。
【００３７】
一方、本実施形態において脚柱２２を構成するガススプリングのシリンダ２２ａは、下端側の部分が、上側から下側にいくに連れて横断面における外径が次第に小さくなるテーパ状に形成される。
【００３８】
そして、脚柱２２を構成するガススプリング（シリンダ２２ａ，ロッド２２ｂ）が脚ベース２１の脚基部２１ａに設けられた貫通孔に上方から挿入された際に、シリンダ２２ａの下端側のテーパ状の部分が脚基部２１ａの貫通孔に嵌合して固定される。
【００３９】
このとき、脚基部２１ａの貫通孔の内周面は下方側にいくに連れて横断面における内径が縮小するテーパ面であると共にシリンダ２２ａの下端側のテーパ状部分は下方側にいくに連れて横断面における外径が縮小するテーパ面であるので、脚柱２２としてのガススプリングが貫通孔に上方から挿入されると、シリンダ２２ａのテーパ状部分がこれを受け支えるように傾斜している貫通孔の内周面と当接（言い換えると、面接触）し、シリンダ２２ａのテーパ状部分の外周面にかけられる下向きの荷重が貫通孔の内周面によって外周方向から受け支えられて支持される。
【００４０】
これにより、脚柱２２としてのガススプリングが、貫通孔に嵌合して脚基部２１ａに固定され、延いては脚ベース２１に固定されて取り付けられる。
【００４１】
また、脚柱２２としてのガススプリングのシリンダ２２ａの上端寄りの位置に、足掛け台２４が取り付けられる。
【００４２】
足掛け台２４は、中心部の基部２４ａと、当該基部２４ａに基端部が連接すると共に長手方向が基部２４ａを中心とする放射方向に沿うように配設された複数のスポーク２４ｂと、これら複数のスポーク２４ｂそれぞれの先端部に取り付けられて支持される環状の足載せ部２４ｃとを有する。
【００４３】
そして、基部２４ａに設けられた貫通孔がシリンダ２２ａに嵌合すると共にねじなどで固定されることによって脚柱２２（具体的には、ガススプリングのシリンダ２２ａ）に対して足掛け台２４が固定されて取り付けられる。
【００４４】
また、脚柱２２としてのガススプリングのロッド２２ｂの先端部に、支持基部１が装着される。
【００４５】
支持基部１は、座受けフレーム２と背凭れ支持フレーム３とを支持するものであり、ケース部１Ａと当該ケース部１Ａを覆うように被せられる上カバー部１Ｂとからなる。
【００４６】
ケース部１Ａは、平面視において概ね矩形の底板部１ｃと当該底板部１ｃの周囲を取り囲む周壁１ｄとを有し、また、脚柱固定部材７とフレーム固定部材８とが備えられる。
【００４７】
ケース部１Ａの底板部１ｃには脚柱２２の上端部分（図に示す例では具体的には、ガススプリングのロッド２２ｂの先端部分）を貫通させるための貫通孔１ｅが設けられる。
【００４８】
脚柱固定部材７は、概ね円筒状に形成されると共に下端周縁部に外向きのフランジ７ａが形成され、円筒部分が下方から貫通孔１ｅへと挿し込まれると共に下端周縁部のフランジ７ａが底板部１ｃの下面に当接した状態で溶接され、これによって底板部１ｃに固定されて取り付けられる。
【００４９】
フレーム固定部材８は、側面視における縦断面が下面開口のコ字形に形成され且つ天板部に貫通孔８ａが形成されると共に、ケース部１Ａの底板部１ｃの左右方向の寸法と同等の寸法に調整されて形成される。
【００５０】
フレーム固定部材８は、左右方向に沿って配置されると共に天板部の貫通孔８ａに脚柱固定部材７の上端部を貫通させた状態で、ケース部１Ａに配設される。
【００５１】
そして、脚柱２２としてのガススプリングのロッド２２ｂの先端部分に、ケース部１Ａに固定されている脚柱固定部材７が溶接などによって固定され、これにより、支持基部１が脚柱２２に装着されて固定され支持される。
【００５２】
ガススプリングのロッド２２ｂの先端には、当該ガススプリングのロック及びロック解除を行うための操作ボタン２２ｃが設けられている。当該操作ボタン２２ｃは、フレーム固定部材８の天板部に対して上下に揺動可能に取り付けられた昇降操作用レバー２５により、押し込まれたり押し込みが解除されたりすることによって操作される。
【００５３】
そして、本実施形態の座及び背凭れの支持フレームは、パイプ部材が折り曲げられて一連に、支持基部１に固定される第一の固定部２ａ（以下、単に「固定部２ａ」と表記する）と、座１０を受け支える座受け部２ｃと、これら固定部２ａと座受け部２ｃとを繋ぐ前方傾斜部２ｂと、座受け部２ｃと連なる固定端部２ｄとが、連接して形成される座受けフレーム２、及び、パイプ部材が折り曲げられて一連に、支持基部１に固定される第二の固定部３ａ（以下、単に「固定部３ａ」と表記する）と、背凭れ１５を支持する背凭れ支持部３ｃと、これら固定部３ａと背凭れ支持部３ｃとを繋ぐ後方傾斜部３ｂとが、連接して形成される背凭れ支持フレーム３を有するようにしている。
【００５４】
座受けフレーム２は、椅子としての組み立て状態において支持基部１に取り付けられて固定される左右方向の固定部２ａと、当該固定部２ａの左右方向における両端部のそれぞれと連接して左右外方へと斜行し且つ上方へと傾斜しつつ前方へと延出する左右一対の前方傾斜部２ｂ，２ｂと、当該左右一対の前方傾斜部２ｂ，２ｂ各々の前端部と連接して後方へと延出する左右一対の座受け部２ｃ，２ｃと、当該左右一対の座受け部２ｃ，２ｃ各々の後端部と連接して前方へと傾斜しつつ上方へと延出する左右一対の固定端部２ｄ，２ｄとを有する。
【００５５】
上述の構成により、座受けフレーム２は、固定部２ａ，前方傾斜部２ｂ，及び座受け部２ｃが連接して平面視において前向きのＭ字形（Ｍ字形に近い形状）になる。
【００５６】
座受けフレーム２は、溶接されることなく（言い換えると、溶接部を有することなく）、パイプ部材が折り曲げられて一連一体のものとして固定部２ａ，前方傾斜部２ｂ，座受け部２ｃ，及び固定端部２ｄが連続的に形成される。
【００５７】
左側の固定部２ａ，前方傾斜部２ｂ，座受け部２ｃ，及び固定端部２ｄと、右側の固定部２ａ，前方傾斜部２ｂ，座受け部２ｃ，及び固定端部２ｄとは、左側と右側との両側が一本のパイプ部材によって一連一体のものとして連続的に形成されても、或いは、左側の各部２ａ，２ｂ，２ｃ，及び２ｄと右側の各部２ａ，２ｂ，２ｃ，及び２ｄとの各々が一本ずつ（即ち、合計二本）のパイプ部材によって別体のものとして形成されても、どちらでも良い。
【００５８】
なお、座受けフレーム２の左右の各部２ａ，２ｂ，２ｃ，及び２ｄが別々のパイプ部材によって別体のものとして形成される場合には、例えば、固定部２ａの中間を分割点として、左側の各部２ａ，２ｂ，２ｃ，及び２ｄと右側の各部２ａ，２ｂ，２ｃ，及び２ｄとが別体のものとして、前後方向の鉛直面に対して面対称である形態を備える左右一対のフレームとして形成されるようにする。これにより、左右別々ではあっても、左右合わさって座受けフレーム２を構成する左右一対のフレームのそれぞれは、溶接されることなく、一本のパイプ部材が折り曲げられて一連一体のものとして固定部２ａ，前方傾斜部２ｂ，座受け部２ｃ，及び固定端部２ｄが連続的に形成される。
【００５９】
座受けフレーム２の左右の各部２ａ，２ｂ，２ｃ，及び２ｄが別々のパイプ部材によって別体のものとして形成される場合には、また、左右の固定部２ａ，２ａのそれぞれは、椅子としての組み立て状態において、上述の形態のように左右方向になるように形成されて配設されるようにしても良く、或いは、前後方向になるように形成されて配設されるようにしても良い。左右の固定部２ａ，２ａのそれぞれが前後方向になるように形成されて配設される場合には、左右合わさって座受けフレーム２を構成する左右一対のフレームのそれぞれは、平面視において後ろ向きのＶ字形に近い形状になる。
【００６０】
また、固定部２ａ，前方傾斜部２ｂ，座受け部２ｃ，及び固定端部２ｄはパイプ部材が曲げ加工されて形成されるため、固定部２ａと前方傾斜部２ｂとの連接部分２ａｂ，前方傾斜部２ｂと座受け部２ｃとの連接部分２ｂｃ，及び座受け部２ｃと固定端部２ｄとの連接部分２ｃｄは、いずれも、湾曲する形状になっている。
【００６１】
このうち、座受け部２ｃと固定端部２ｄとの連接部分２ｃｄは、座１０の座枠体１１内に納められるようにする場合に座枠体１１の形状に与える影響を小さくし得る程度に折り曲げの径が小さい値に設定される。座受け部２ｃと固定端部２ｄとの連接部分２ｃｄの折り曲げの径（半径）の値は、特定の値に限定されるものではないものの、具体的には例えば１３〜１７ ｍｍ 程度に設定され、１５ ｍｍ 程度に設定されることが好ましい。さらに言えば、座受けフレーム２の材質や外径・内径などを考慮して可能であると考えられる折り曲げの径の値のうちの最小値に設定されることが好ましい。
【００６２】
他方、背凭れ支持フレーム３は、椅子としての組み立て状態において支持基部１に取り付けられて固定される左右方向の固定部３ａと、当該固定部３ａの左右方向における両端部のそれぞれと連接して左右外方へと斜行し且つ上方へと傾斜しつつ後方へと延出する左右一対の後方傾斜部３ｂ，３ｂと、当該左右一対の後方傾斜部３ｂ，３ｂ各々の後端部と連接して前方へと傾斜しつつ上方へと延出する左右一対の背凭れ支持部３ｃ，３ｃとを有する。
【００６３】
上述の構成により、背凭れ支持フレーム３は、平面視において、後ろ向きのＶ字形に近い形状になる。
【００６４】
背凭れ支持フレーム３は、溶接されることなく（言い換えると、溶接部を有することなく）、パイプ部材が折り曲げられて一連一体のものとして固定部３ａ，後方傾斜部３ｂ，及び背凭れ支持部３ｃが連続的に形成される。
【００６５】
左側の固定部３ａ，後方傾斜部３ｂ，及び背凭れ支持部３ｃと、右側の固定部３ａ，後方傾斜部３ｂ，及び背凭れ支持部３ｃとは、左側と右側との両側が一本のパイプ部材によって一連一体のものとして連続的に形成されても、或いは、左側の各部３ａ，３ｂ，及び３ｃと右側の各部３ａ，３ｂ，及び３ｃとの各々が一本ずつ（即ち、合計二本）のパイプ部材によって別体のものとして形成されても、どちらでも良い。
【００６６】
なお、背凭れ支持フレーム３の左右の各部３ａ，３ｂ，及び３ｃが別々のパイプ部材によって別体のものとして形成される場合には、例えば、固定部３ａの中間を分割点として、左側の各部３ａ，３ｂ，及び３ｃと右側の各部３ａ，３ｂ，及び３ｃとが別体のものとして、前後方向の鉛直面に対して面対称である形態を備える左右一対のフレームとして形成されるようにする。これにより、左右別々ではあっても、左右合わさって背凭れ支持フレーム３を構成する左右一対のフレームのそれぞれは、溶接されることなく、一本のパイプ部材が折り曲げられて一連一体のものとして固定部３ａ，後方傾斜部３ｂ，及び背凭れ支持部３ｃが連続的に形成される。
【００６７】
背凭れ支持フレーム３の左右の各部３ａ，３ｂ，及び３ｃが別々のパイプ部材によって別体のものとして形成される場合には、また、左右の固定部３ａ，３ａのそれぞれは、椅子としての組み立て状態において、上述の実施形態のように左右方向になるように形成されて配設されるようにしても良く、或いは、前後方向になるように形成されて配設されるようにしても良い。
【００６８】
なお、背凭れ支持フレーム３に、さらに、背凭れ１５を支持するように、左右一対の背凭れ支持部３ｃ，３ｃ各々の上端部と連接して椅子としての組み立て状態において左右方向内側（言い換えると、内向き）に延出する左右一対の横杆部が形成されて含められるようにしても良い。
【００６９】
本実施形態では、座受けフレーム２の左右一対の固定端部２ｄ，２ｄは、それぞれ、座受け部２ｃの後端部と連接して背凭れ支持フレーム３の背凭れ支持部３ｃに沿う方向に曲がって形成され、背凭れ支持部３ｃに対して直線状に溶接されて取り付けられる。すなわち、座受けフレーム２と背凭れ支持フレーム３とは、左右一対の固定端部２ｄ，２ｄと背凭れ支持部３ｃ，３ｃとの溶接部が直線形状をなすものとして溶接される。
【００７０】
このように、座受けフレーム２の固定端部２ｄと背凭れ支持フレーム３の背凭れ支持部３ｃとが相互に平行になるように配設された上で直線状に溶接されて取り付けられるようにすることにより、溶接部を長く設けるようにすることができ、必要とされる強度を十分に確保して溶接箇所が破損し易くなってしまうという問題を回避することが可能になる。
【００７１】
座受けフレーム２や背凭れ支持フレーム３を形成し構成するパイプ部材の材質は、特定のものに限定されるものではなく、例えば用途などが考慮されて必要とされる強度及び耐久性や曲げ加工の容易性などが勘案された上で、適当なものが適宜選択される。具体的には例えば、パイプ部材の材質として、スティール，ステンレススティール，或いはアルミ合金が選択され得る。
【００７２】
また、パイプ部材の外径・内径（及び、これらによって決定される管としての厚み）は、特定の値に限定されるものではなく、例えば用途などが考慮されて必要とされる強度や曲げ加工の容易性などが勘案された上で、適当な値に適宜設定される。
【００７３】
なお、パイプ部材としては、中空のパイプに加えて中実の無垢棒も用いられ得る。すなわち、本発明の説明におけるパイプ部材には、中空のパイプと中実の無垢棒とが含まれる。
【００７４】
上述の座受けフレーム２の固定部２ａは、支持基部１のケース部１Ａの底板部１ｃに固定される脚柱固定部材７の前方位置に左右方向に沿って配設される。
【００７５】
また、背凭れ支持フレーム３の固定部３ａは、支持基部１のケース部１Ａの底板部１ｃに固定される脚柱固定部材７の後方位置に左右方向に沿って配設される。
【００７６】
そして、座受けフレーム２の固定部２ａは、下端部分がケース部１Ａの底板部１ｃの上面に溶接づけなどによって接合されると共に、上端部分がケース部１Ａに配設されるフレーム固定部材８の前側壁の下端に溶接づけなどによって接合される。
【００７７】
また、背凭れ支持フレーム３の固定部３ａは、下端部分がケース部１Ａの底板部１ｃの上面に溶接づけなどによって接合されると共に、上端部分がケース部１Ａに配設されるフレーム固定部材８の後側壁の下端に溶接づけなどによって接合される。
【００７８】
これにより、座受けフレーム２及び背凭れ支持フレーム３が、支持基部１に固定されて取り付けられる。
【００７９】
なお、フレーム固定部材８は、また、天板部の貫通孔８ａの周縁部が脚柱固定部材７と溶接づけなどによって接合される。
【００８０】
座受けフレーム２には、左右一対の座受け部２ｃ，２ｃの前部における間隔が固定されるように規制すると共に座１０の前部を受け支えるための前部横連結部材４が備えられ、さらに、左右一対の座受け部２ｃ，２ｃの後部における間隔が固定されるように規制すると共に座１０の後部を受け支えるための後部横連結部材５が備えられる。
【００８１】
前部横連結部材４は、座受けフレーム２の左右一対の連接部分２ｂｃ（即ち、前方傾斜部２ｂと座受け部２ｃとが連接する湾曲部分）の間に左右方向に沿って配設される。
【００８２】
そして、前部横連結部材４は、左右両端部それぞれが座受けフレーム２の左右一対の連接部分２ｂｃ，２ｂｃ各々においてこれら左右一対の連接部分２ｂｃ，２ｂｃ同士を連結するように溶接づけによって接合されることにより、座受けフレーム２に対して固定されて取り付けられる。
【００８３】
ここで、座受けフレーム２の連接部分２ｂｃは、左右外方へと斜行し且つ上方へと傾斜しつつ前方へと延出する前方傾斜部２ｂと、後方へと延出する座受け部２ｃとが連接する湾曲部分である。このため、前部横連結部材４の左右両端部（左右両端面）は、それぞれ、連接部分２ｂｃの湾曲形状に沿うように形成され、連接部分２ｂｃに対して曲線状に溶接されて取り付けられる。すなわち、前部横連結部材４と座受けフレーム２とは、前部横連結部材４の左右両端部と連接部分２ｂｃ，２ｂｃとの溶接部が湾曲形状をなすものとして溶接される。
【００８４】
このように、前部横連結部材４と座受けフレーム２とが連接部分２ｂｃにおいて曲線状に溶接されて取り付けられるようにすることにより、様々な向きの変形や荷重（例えば、左右の座受け部２ｃ，２ｃを相互に引き離す左右外向きの変形や、着座による下向きの荷重など）に対して応力(抵抗力)を発揮することができ、溶接箇所が破損し易くなってしまうという問題を回避することが可能になる。また、本実施形態における前方傾斜部２ｂの方向と座受け部２ｃの方向との関係により、連接部分２ｂｃにおける溶接部の一部は下向きの荷重を下から受け支えるように機能するので、前部横連結部材４は座１０の前部を強固に受け支えることができる。
【００８５】
なお、前部横連結部材４は、支持基部１に直接接触しておらず、すなわち、支持基部１に支持されていない。
【００８６】
他方、後部横連結部材５は、例えば座受けフレーム２や背凭れ支持フレーム３と同様の材質の一本のパイプ部材が折り曲げられることにより、椅子としての組み立て状態において左右方向の横杆部５ａと、当該横杆部５ａの左右方向における両端部のそれぞれと連接して前方へと延出する左右一対の取付部５ｂ，５ｂとが連続するものとして形成される。
【００８７】
そして、後部横連結部材５は、左右両端の取付部５ｂ，５ｂそれぞれが座受けフレーム２の左右一対の座受け部２ｃ，２ｃ各々の後端部分においてこれら左右一対の座受け部２ｃ，２ｃ同士を連結するように溶接づけによって接合されることにより、座受けフレーム２に対して固定されて取り付けられる。
【００８８】
ここで、後部横連結部材５の左右一対の取付部５ｂ，５ｂは、それぞれ、横杆部５ａの左右端部と連接して座受けフレーム２の座受け部２ｃに沿う方向に曲がって形成され、座受け部２ｃに対して直線状に溶接されて取り付けられる。すなわち、後部横連結部材５と座受けフレーム２とは、左右一対の取付部５ｂ，５ｂと座受け部２ｃ，２ｃとの溶接部が直線形状をなすものとして溶接される。
【００８９】
このように、後部横連結部材５の取付部５ｂと座受けフレーム２の座受け部２ｃとが相互に平行になるように配設された上で直線状に溶接されて取り付けられるようにすることにより、溶接部を長く設けるようにすることができ、必要とされる強度を十分に確保して溶接箇所が破損し易くなってしまうという問題を回避することが可能になる。
【００９０】
なお、後部横連結部材５は、支持基部１に直接接触しておらず、すなわち、支持基部１に支持されていない。
【００９１】
座１０は、座受けフレーム２の左右一対の座受け部２ｃ，２ｃの間に架け渡され、これら左右一対の座受け部２ｃ，２ｃに載せられて設けられる。
【００９２】
座１０は、平面視において概ね矩形状の座枠体１１と、当該座枠体１１に周縁が支持されて張設されて座面を構成できるだけの張力や強度を有するメッシュ状の座膜部材１４とを有する。
【００９３】
座１０の座枠体１１は、一体として連接する、椅子としての組み立て状態において左右方向の前部枠辺１１ａ，左右一対の前後方向の右部及び左部枠辺１１ｂ，１１ｂ，並びに左右方向の後部枠辺１１ｃの四つの帯状の枠辺を有する概ね矩形状の枠体として形成される。
【００９４】
座枠体１１は、右部及び左部枠辺１１ｂ，１１ｂそれぞれの下面に形成された概ねＵ字形の溝１２ｂ，１２ｂを有すると共に後部枠辺１１ｃの下面に形成された概ねＵ字形の溝１２ｃを有する。
【００９５】
そして、座１０は、座枠体１１の右部・左部枠辺１１ｂ，１１ｂ下面の溝１２ｂ，１２ｂのそれぞれが座受けフレーム２の左右の座受け部２ｃ，２ｃに嵌合すると共に後部枠辺１１ｃ下面の溝１２ｃが後部横連結部材５に嵌合することにより、座受けフレーム２に装着される。
【００９６】
なお、座１０の座枠体１１は、溝１２ｂ，１２ｃが用いられる態様ではなく、ビスなどの締結具・接合具によって座受けフレーム２の左右の座受け部２ｃ，２ｃや後部横連結部材５に取り付けられるようにしても良い。この場合、座枠体１１と座受け部２ｃや後部横連結部材５との間に介在等する受止めや把持態様などの別途の固定用の部品が用いられるようにしても良い。
【００９７】
座１０の座枠体１１は、左右一対の座受け部２ｃ，２ｃに載せられた状態で、前部枠辺１１ａが前部横連結部材４にねじ止めされると共に後部枠辺１１ｃが後部横連結部材５にねじ止めされることによって固定される。
【００９８】
座１０の座枠体１１は、また、後部枠辺１１ｃの左右両縁部（言い換えると、右部及び左部枠辺１１ｂ，１１ｂ各々の後端位置）に、前方へと傾斜しつつ上下方向に貫通し且つ貫通方向直交断面が長孔状に形成された左右一対の貫通孔１３，１３を有する。
【００９９】
そして、これら左右一対の貫通孔１３，１３の各々を、座受けフレーム２の固定端部２ｄと背凭れ支持フレーム３の背凭れ支持部３ｃとが左右横並びで下方から上方へと貫通する。
【０１００】
なお、座１０の材質や態様は、特定の種類に限定されるものではなく、例えば用途などが考慮されて必要とされる強度が勘案された上で、適当なものが適宜選択される。具体的には例えば、座１０の座枠体１１の材質としては、ガラス繊維入りナイロンなどの種々の樹脂が選択され得る。
【０１０１】
一方、背凭れ１５は、背凭れ支持フレーム３の左右一対の背凭れ支持部３ｃ，３ｃから立ち上がるように、これら左右一対の背凭れ支持部３ｃ，３ｃに取り付けられて設けられる。
【０１０２】
背凭れ１５は、正面視において概ね矩形状の背枠体１６と、当該背枠体１６に周縁が支持されて張設されて背凭れ面を構成できるだけの張力や強度を有するメッシュ状の背膜部材１９とを有する。
【０１０３】
背凭れ１５の背枠体１６は、一体として連接する、椅子としての組み立て状態において左右方向の上部枠辺１６ａ，左右一対の上下方向の右部及び左部枠辺１６ｂ，１６ｂ，並びに左右方向の下部枠辺１６ｃの四つの帯状の枠辺を有する概ね矩形状の枠体として形成される。
【０１０４】
背凭れ１５の背枠体１６は、また、右部及び左部枠辺１６ｂ，１６ｂ各々の下端側の部分に、背枠体１６の下端面において開口すると共に右部及び左部枠辺１６ｂ，１６ｂの方向に沿って且つ相互に平行に形成された左右一対の背フレーム受け孔１７，１７を有し、さらに、これら左右一対の背フレーム受け孔１７，１７それぞれの内側（即ち、背凭れ１５の左右方向における中央位置寄りの側）に隣接して（言い換えると、左右に連なって）、背枠体１６の下端面において開口すると共に背フレーム受け孔１７の方向に沿って形成された左右一対の座フレーム受け凹部１８，１８を有する。
【０１０５】
そして、背凭れ１５は、左右一対の背フレーム受け孔１７，１７のそれぞれに、座１０の座枠体１１の貫通孔１３を貫通して上方に突出している背凭れ支持フレーム３の背凭れ支持部３ｃが挿し込まれて嵌合することにより、背凭れ支持フレーム３に装着される。
【０１０６】
そして、背凭れ１５の背フレーム受け孔１７と背凭れ支持フレーム３の背凭れ支持部３ｃとは、背フレーム受け孔１７の下端開口から背凭れ支持部３ｃが差し込まれた状態で、必要に応じ、例えば背枠体１６の後面から前後方向にねじ込まれるビスなどの締結具・接合具によって相互に固定されたり、予め塗布された接着剤が用いられて相互に接着されたりする。
【０１０７】
なお、背凭れ１５の背枠体１６は、背フレーム受け孔１７，１７が用いられる態様ではなく、ビスなどの締結具・接合具によって背凭れ支持フレーム３の左右一対の背凭れ支持部３ｃ，３ｃに取り付けられるようにしても良い。この場合、背枠体１６と背凭れ支持部３ｃとの間に介在等する受止めや把持態様などの別途の固定用の部品が用いられるようにしても良い。
【０１０８】
また、座１０の座枠体１１の貫通孔１３を貫通して上方に突出している座受けフレーム２の左右一対の固定端部２ｄ，２ｄのそれぞれが、背凭れ１５の左右一対の座フレーム受け凹部１８，１８に差し込まれて嵌合する。
【０１０９】
なお、背凭れ１５の材質や態様は、特定の種類に限定されるものではなく、例えば用途などが考慮されて必要とされる強度が勘案された上で、適当なものが適宜選択される。具体的には例えば、背凭れ１５の背枠体１６の材質としては、ガラス繊維入りナイロンなどの種々の樹脂が選択され得る。
【０１１０】
また、例えば、座受けフレーム２の左右一対の座受け部２ｃ，２ｃによって座１０が受け支えられ得ると共に、座１０の座枠体１１との嵌合や背凭れ１５の背枠体１６との嵌合による固定力によって座受けフレーム２の左右一対の座受け部２ｃ，２ｃの間隔が固定されるように拘束され得る場合などには、前部横連結部材４と後部横連結部材５とのうちの一方若しくは両方が設けられないようにしても良い（この点において、座１０の態様や材質などによるものの、前部横連結部材４や後部横連結部材５は左右一対の座受け部２ｃ，２ｃの間隔を補助的に固定するものであると共に座１０の前部や後部を補助的に受け支えるためのものである）。この場合には、必要に応じ、座受けフレーム２の座受け部２ｃと座１０の座枠体１１の右部・左部枠辺１６ｂとが例えばビスなどの締結具・接合具によって相互に固定されたり、予め塗布された接着剤が用いられて相互に接着されたりする。
【０１１１】
また、例えば、座１０の座枠体１１の下面の溝１２ｂ，１２ｃや貫通孔１３との嵌合による固定力によって座受けフレーム２，座１０，背凭れ支持フレーム３，及び背凭れ１５の相互の位置関係が必要とされる程度には少なくとも固定されるように拘束され得る場合などには、座受けフレーム２の左右一対の固定端部２ｄ，２ｄは設けられない（言い換えると、形成されない）ようにしても良い。
【０１１２】
また、本発明においては背凭れ１５は必須の構成ではなく、背凭れ１５を備えない構成の椅子においても、座１０の支持フレームとしての座受けフレーム２は用いられ得る。そして、背凭れ１５を備えない椅子の場合には、背凭れ支持フレーム３の左右一対の背凭れ支持部３ｃ，３ｃは、上述の実施形態のように座１０の座枠体１１の左右一対の貫通孔１３，１３を下方から上方へと貫通するのではなく、上述の実施形態の場合と比べて短く形成され、座１０の座枠体１１の貫通孔１３の代わりに設けられる凹部に上端が当接することによって座１０を（補助的に）支持するものとして構成されるようにしても良い。この場合には、上述の実施形態における背凭れ支持フレーム３は座支持フレームと呼ばれ、上述の実施形態における背凭れ支持フレーム３のうちの左右一対の背凭れ支持部３ｃ，３ｃは左右一対の座支持部と呼ばれる。
【０１１３】
以上の構成を備える座受けフレーム２と背凭れ支持フレーム３とを有する座及び背凭れの支持フレーム並びにこの支持フレームを備える椅子によれば、座１０の支持フレームとしての座受けフレーム２と背凭れ１５の支持フレームとしての背凭れ支持フレーム３とのそれぞれが、延いては座１０及び背凭れ１５の支持フレーム全体としての座受けフレーム２及び背凭れ支持フレーム３が、パイプ部材が折り曲げられて一連に連接して形成される、言い換えると、溶接部を有することなく形成されるようにしているので、溶接箇所に大きな応力が集中することによる破損や、着座によって荷重がかけられた際にパイプ同士の溶接を引き離す向きに力が働くことによる破損、さらに、溶接箇所及びその周辺の硬化による耐久性の低下を防止することができ、椅子の安全性を確保すると共に耐久性を向上させることが可能になり、延いては椅子の信頼性を向上させることが可能になる。
【０１１４】
以上の構成を備える座受けフレーム２と背凭れ支持フレーム３とを有する座及び背凭れの支持フレーム並びにこの支持フレームを備える椅子によれば、また、座１０の支持フレームとしての座受けフレーム２と背凭れ１５の支持フレームとしての背凭れ支持フレーム３とのそれぞれが、延いては座１０及び背凭れ１５の支持フレーム全体としての座受けフレーム２及び背凭れ支持フレーム３が、パイプ部材が折り曲げられて一連に連接して形成されるようにしているので、椅子の座や背凭れを支持するフレームを構成するための種々の部品を接合するための部品が不要になるために部品点数が少なくて済み、延いては、組み立て作業を簡便にして効率的に椅子の座や背凭れを支持するフレームを製作し、また、座や背凭れを支持するフレームのコストを低廉にすることができ、汎用性の高い座や背凭れの支持フレームを提供することが可能になる。
【０１１５】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【０１１６】
例えば、上述の実施形態では図１乃至図３に全体構成を示す椅子に本発明が適用されるようにしているが、本発明が適用され得る椅子の各構成部材の具体的な形状や態様は、上述の実施形態におけるものに限定されるものではなく、椅子の用途やデザインなどを踏まえて適宜選択される。具体的には、座受けフレーム２の固定部２ａと背凭れ支持フレーム３の固定部３ａとが取り付けられて固定される構成、即ち上述の実施形態における支持基部１のケース部１Ａに相当する構成を少なくとも備えるものであれば、椅子の態様や各構成部材の形状等はどのようなものであっても構わない。
【０１１７】
また、上述の実施形態では背凭れ１５が矩形状の背枠体１６と当該背枠体１６に周縁が支持されて張設されるメッシュ状の背膜部材１９とを有するものとして構成されるようにしているが、背凭れの構成態様は上述の実施形態におけるものに限定されるものではなく、背凭れは例えば樹脂製の板材によって構成されるようにしても良い。この場合には、板状の部材（背板）のみによって背凭れが構成されるようにしても良く、或いは、板状の部材（背板）がパッドで覆われて背凭れが構成されるようにしても良い。
【０１１８】
具体的には例えば、図２１乃至図２３に示すように、樹脂製の背板部材３１と当該背板部材３１を覆う布製のパッド３２とを有するものとして背凭れが構成されるようにしても良い（なお、図２１乃至図２３では、左右の肘掛け３４，３４を備える背凭れを例として挙げている）。この場合には、例えば、パッド３２が下端開口の袋状に形成され、パッド３２の前面部３２Ａの内側面の下端部分に柔軟性を備える樹脂製の前部インナーシェル３３Ａが取り付けられると共に後面部３２Ｂの内側面の下端部分に柔軟性を備える樹脂製の後部インナーシェル３３Ｂが取り付けられる。そして、これら前部・後部インナーシェル３３Ａ，３３Ｂそれぞれの下端に左右一対のフック３３ｃ，３３ｃが備えられ、また、背板部材３１の下端面にこれら左右一対のフック３３ｃ，３３ｃが係合する左右一対の凹部が形成される。そして、左右一対のフック３３ｃ，３３ｃのそれぞれが前記左右一対の凹部に係合することにより、前部・後部インナーシェル３３Ａ，３３Ｂを介してパッド３２が背板部材３１に取り付けられる。このとき、前部・後部インナーシェル３３Ａ，３３Ｂそれぞれの左右一対のフック３３ｃ，３３ｃ同士の間の寸法が背板部材３１の板形状に沿っての前記左右一対の凹部同士の間の寸法に基づいて調節されることにより、左右一対のフック３３ｃ，３３ｃのそれぞれが前記左右一対の凹部に係合した状態において前部・後部インナーシェル３３Ａ，３３Ｂが背板部材３１の下端部分の形状に沿って変形する。このとき、さらに、前部・後部インナーシェル３３Ａ，３３Ｂが取り付けられた部分において、前部インナーシェル３３Ａとパッド３２の前面部３２Ａとが、また、後部インナーシェル３３Ｂとパッド３２の後面部３２Ｂとが、大きく離れないように相互に接合される（好ましくは、密着させられる）ことにより、前部・後部インナーシェル３３Ａ，３３Ｂと一緒に背板部材３１の下端部分の形状に沿ってパッド３２が取り付けられるようになるので背板部材３１に対してパッド３２が浮いてしまうことがない。したがって、パッド３２が弛んだ部分が縒れて痛んでしまうことや、見栄えが悪くなってしまうことを防止することができる。また、特に前部インナーシェル３３Ａの形状を調整することにより、背凭れ面を意図した形状にすることができる。
【符号の説明】
【０１１９】
１    支持基部
２    座受けフレーム
２ａ  固定部
２ｂ  前方傾斜部
２ｃ  座受け部
２ｄ  固定端部
３    背凭れ支持フレーム
３ａ  固定部
３ｂ  後方傾斜部
３ｃ  背凭れ支持部
４    前部横連結部材
５    後部横連結部材
７    脚柱固定部材
８    フレーム固定部材
１０    座
１１    座枠体
１４    座膜部材
１５    背凭れ
１６    背枠体
１９    背膜部材
【図１】
0006674238.tif 000002
【図２】
0006674238.tif 000003
【図３】
0006674238.tif 000004
【図４】
0006674238.tif 000005
【図５】
0006674238.tif 000006
【図６】
0006674238.tif 000007
【図７】
0006674238.tif 000008
【図８】
0006674238.tif 000009
【図９】
0006674238.tif 000010
【図１０】
0006674238.tif 000011
【図１１】
0006674238.tif 000012
【図１２】
0006674238.tif 000013
【図１３】
0006674238.tif 000014
【図１４】
0006674238.tif 000015
【図１５】
0006674238.tif 000016
【図１６】
0006674238.tif 000017
【図１７】
0006674238.tif 000018
【図１８】
0006674238.tif 000019
【図１９】
0006674238.tif 000020
【図２０】
0006674238.tif 000021
【図２１】
0006674238.tif 000022
【図２２】
0006674238.tif 000023
【図２３】
0006674238.tif 000024
【図２４Ａ】
0006674238.tif 000025
【図２４Ｂ】
0006674238.tif 000026